【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
（ａ）ポリエステル又はポリアミド、及び
（ｂ）式（Ｉａ）、（Ｉｂ）、（ＩＩａ）、（ＩＩｂ）、（ＩＩｃ）、（ＩＩＩａ）、（ＩＩＩｂ）、（ＩＩＩｃ）、（ＩＶａ）、（ＩＶｂ）及び（ＩＶｃ）、
【化１】
2005504868.tif 000001
【化２】
2005504868.tif 000002
［式中、Ｒ1は、水素原子、ヒドロキシ基、炭素原子数１ないし２５のアルキル基、炭素原子数７ないし９のフェニルアルキル基、未置換の、又は炭素原子数１ないし４のアルキル置換炭素原子数５ないし８のシクロアルキル基；
各々未置換の、又は弗素原子、ヒドロキシ基、炭素原子数１ないし１８のアルキル基、炭素原子数１ないし１８のアルコキシ基、炭素原子数１ないし１８のアルキルチオ基、ジ（炭素原子数１ないし４のアルキル）アミノ基、フェニル基、 ベンジル基、ベンゾイル基によって、又はベンゾイルオキシ基によって置換されたナフチル基、フェナントリル基
、アントリル基、５，６，７，８−テトラヒドロ−２−ナフチル基、チエニル基、ベンゾ［ｂ］チエニル基、ナフト［２，３−ｂ］チエニル基、チアントレニル基、フリル基、ベンゾフリル基、イソベンゾフリル基、ジベンゾフリル基、キサンテニル基、フェノキサンチイニル基、ピローリル基、イミダゾリル基、ピラゾリル基、ピリニジル基、ピラジニル基、ピリミジニル基、ピリダジニル基、インドリジニル基、イソインドリル基、インドリル基、インダゾリル基、プリニル基、キノリジニル基、イソキノリル基、キノリル基、フタラジニル基、ナフチリジニル基、キノキサリニル基、キナゾリニル基、シンノリニル基、プテリジニル基、カルバゾリル基、β−カルボリニル基、フェナントリジニル基、アクリジニル基、ペリミジニル基、フェナントロリニル基、フェナジニル基、イソチアゾリル基、フェノチアジニル基、イソキサゾリル基、フラザニル基、ビフェニル基、ターフェニル基、フルオレニル基又はフェノキサジニル基を表わすか、又は、Ｒ1は、
【化３】
2005504868.tif 000003
で表わされる基を表わし、
Ｒ2、Ｒ3、Ｒ4及びＲ5は、互いに独立して、水素原子、弗素原子、ヒドロキシ基、炭素原子数１ないし２５のアルキル基、炭素原子数１ないし２５のアルケニル基、炭素原子数７ないし９のフェニルアルキル基、炭素原子数７ないし９のフェニルアルケニル基、未置換の、又は炭素原子数１ないし４のアルキル−又はアルケニル−置換フェニル基、未置換の、又は炭素原子数１ないし４のアルキル−置換 炭素原子数５ないし８のシクロアルキル基、炭素原子数１ないし１８のアルコキシ基、炭素原子数１ないし１８のアルキルチオ基、炭素原子数１ないし４のアルキルアミノ基、ジ（炭素原子数１ないし４のアルキル）アミノ基、炭素原子数１ないし２５のアルカノイルオキシ基、炭素原子数１ないし２５のアルカノイルアミノ基、酸素原子によって、硫黄原子によって、又は＞ＮＲ8によって中断された炭素原子数３ないし２５のアルカノイルオキシ基；−（ＣＨ2）p−Ｃ（Ｏ）ＯＲ8、炭素原子数６ないし９のシクロアルキルカルボニルオキシ基、ベンゾイルオキシ基又は炭素原子数１ないし１２のアルキル置換ベンゾイルオキシ基を表わすか、又は、
隣接する基Ｒ2及びＲ3、又はＲ3及びＲ4、又はＲ4及びＲ5は、それらが結合する炭素原子と一緒になって、ベンゾ環を形成するか、又はＲ2及びＲ4は各々−（ＣＨ2）p−ＣＯＲ9又は−（ＣＨ2）qＯＨを表わしてよく、
又はＲ2及びＲ4は、各々−ＣＨ（Ｒ1）Ｒ50を表わしてよく；
Ｒ1’、Ｒ2’、Ｒ3’、Ｒ4’及びＲ5’は、独立して、各々Ｒ1、Ｒ2、Ｒ3、Ｒ4及びＲ5で定義した通りであり；
Ｒaは、炭素原子数１ないし１８のアルキレン基；
酸素原子によって、硫黄原子によって、又は＞ＮＲ14によって中断された炭素原子数２ないし１８のアルキレン基を表わすか；又は、
Ｒaは、各々未置換の、又は炭素原子数１ないし４のアルキル基によって、もしくは弗素原子によって置換された、炭素原子数２ないし２０のアルキリデン基、炭素原子数７ないし２０のフェニルアルキリデン基、炭素原子数５ないし８のシクロアルキレン基、炭素原子数７ないし８のビシクロアルキレン基、フェニレン基又はナフチレン基を表わすか；又は
−Ｒ6−Ｙ−Ｒ7を表わし；
Ｒbは、−ＮＲ53、炭素原子数１ないし２５のアルキレンジイミノ基、炭素原子数１ないし２５のアルキレントリイミノ基、炭素原子数１ないし２５のアルキレンテトライミノ
基、又は炭素原子数５ないし８のシクロアルキレンジイミノ基を表わし；
Ｘは、Ｒaで定義した通りであるか、又は直接結合、−ＣＲ1Ｒ2−、−Ｏ−、−ＮＲ10−又は−Ｓ−を表わすか、又はＸは、Ｒ2、Ｒ3、Ｒ4及びＲ5によって置換されたフェニレン基を表すか、又はＸは、−ＣＦ3、炭素原子数１ないし１２のアルキル基又はフェニル基によって置換されたアルキレン基を表わすか、又は、Ｘは、未置換の、又は１ないし３個の炭素原子数１ないし４のアルキル基によって置換された炭素原子数５ないし８のシクロアルキレン環を表わし；
Ｙは、直接結合、酸素原子、硫黄原子又は−ＮＲ10−を表わし；
Ｒ6及びＲ7は各々互いに独立して、各々未置換の、又は炭素原子数１ないし４のアルキル基によって置換されたフェニレン基又はナフチレン基を表わし；
Ｒ8は炭素原子数１ないし２５のアルキル基を表わし；
Ｒ9はヒドロキシ基、
【化４】
2005504868.tif 000004
を表わし；
Ｒ10は、水素原子、ヒドロキシ基、炭素原子数１ないし２５のアルキル基、又は未置換の、もしくは−ＯＨ、−ＯＲ8、−ＮＨ（Ｒ8）又は−Ｎ（Ｒ8）2によって置換された前記アルキル基；酸素原子によって、又は硫黄原子によって中断された炭素原子数２ないし２５のアルキル基、炭素原子数７ないし９のフェニルアルキル基、未置換の、又は炭素原子数１ないし４のアルキル置換炭素原子数５ないし８のシクロアルキル基、又はデンドリマー状、オリゴマー状又はポリマー状の、炭素原子数４ないし１００の炭化水素基を表わし；
Ｒ12及びＲ13は、各々互いに独立して、水素原子又は炭素原子数１ないし１８のアルキル基を表わし；
Ｒ14は、水素原子又は炭素原子数１ないし１８のアルキル基を表わし；
Ｒ19、Ｒ20、Ｒ21、Ｒ22及びＲ23は、独立して、水素原子、シアノ基、１ないし１２個の炭素原子を有するペルフルオロアルキル基、フルオロ基、クロロ基、ヒドロキシ基、炭素原子数１ないし２５のアルキル基；酸素原子によって、硫黄原子によって、又は＞ＮＲ8によって中断された炭素原子数２ないし２５のアルキル基；炭素原子数１ないし２５のアルコキシ基；酸素原子によって、硫黄原子によって、又は＞ＮＲ8によって中断された炭素原子数２ないし２５のアルコキシ基；炭素原子数１ないし４のアルキルアミノ基、ジ（炭素原子数１ないし４のアルキル）アミノ基、炭素原子数１ないし２５のアルカノイル基、炭素原子数１ないし２５のアルカノイルオキシ基、炭素原子数１ないし２５のアルカノイルアミノ基；炭素原子数１ないし２５のアルキルチオ基、炭素原子数７ないし９のフェニルアルキル基、炭素原子数７ないし９のフェニルアルコキシ基、未置換の、又は炭素原子数１ないし４のアルキル置換フェニル基；未置換の、又は炭素原子数１ないし４のアルキル置換フェノキシ基；未置換の、又は炭素原子数１ないし４のアルキル置換炭素原子数５ないし８のシクロアルキル基；未置換の、又は炭素原子数１ないし４のアルキル置換炭素原子数５ないし８のシクロアルコキシ基；酸素原子によって、硫黄原子によって、又は＞ＮＲ8によって中断された炭素原子数３ないし２５のアルカノイル基；炭素原子数１ないし２５のアルカノイルカルボニル基；酸素原子によって、硫黄原子によって、又は＞ＮＲ8によって中断された炭素原子数３ないし２５のアルカノイルカルボニル基；炭素原子数１ないし２５のアルキルアミノカルボニル基；酸素原子によって、硫黄原子によって、又は＞ＮＲ8によって中断された炭素原子数３ないし２５のアルキルアミノカルボニル基；ジ−炭素原子数１ないし２５のアルキルアミノカルボニル基；酸素原子によって、硫黄原子によって、又は＞ＮＲ8によって中断されたジ−炭素原子数３ないし２５アルキルアミノカルボニル基；炭素原子数１ないし２５のアルカノイルオキシ基；酸素原子によっ
て、硫黄原子によって、又は＞ＮＲ8によって中断された炭素原子数３ないし２５のアルカノイルオキシ基； 炭素原子数１ないし２５のアルカノイルアミノ基、炭素原子数６ないし９のシクロアルキルカルボニル基、炭素原子数６ないし９のシクロアルキルカルボニルオキシ基、ベンゾイル基、又は炭素原子数１ないし１２のアルキル置換ベンゾイル基；ベンゾイルオキシ基、又は炭素原子数１ないし１２のアルキル置換ベンゾイルオキシ基；
【化５】
2005504868.tif 000005
を表わし；
Ｒ24は、水素原子、炭素原子数１ないし４のアルキル基、又は未置換の、もしくは炭素原子数１ないし４のアルキル置換フェニル基を表わし；
Ｒ25及びＲ26は、水素原子、炭素原子数１ないし４のアルキル基又はフェニル基を表わすが、但し、基Ｒ25及びＲ26の少なくとも１つは、水素原子を表わし；
Ｒ27及びＲ28は、各々互いに独立して、水素原子、炭素原子数１ないし４のアルキル又はフェニル基を表わし；
Ｒ29は、水素原子又は炭素原子数１ないし４のアルキル基を表わし；
Ｒ30は、水素原子、未置換の、又は炭素原子数１ないし４のアルキル置換フェニル基；炭素原子数１ないし２５のアルキル基；酸素原子によって、硫黄原子によって、もしくは＞ＮＲ8によって中断された炭素原子数２ないし２５のアルキル基；未置換の、又は１ないし３個の炭素原子数１ないし４のアルキル基によってフェニル基上を置換された炭素原子数７ないし９のフェニルアルキル基；又は酸素原子によって、硫黄原子によって、もしくは＞ＮＲ8によって中断され、かつ未置換、又は１ないし３個の炭素原子数１ないし４のアルキル基によってフェニル基上を置換された炭素原子数７ないし２５のフェニルアルキル基を表わし；
Ｒ31は、水素原子、又は炭素原子数１ないし４のアルキル基を表わし；
Ｒ32は、水素原子、炭素原子数１ないし２５のアルカノイル基；酸素原子によって、硫黄原子によって、もしくは＞ＮＲ8によって中断された炭素原子数３ないし２５のアルカノイル基；ジ（炭素原子数１ないし６のアルキル）ホスホネート基によって置換された炭素原子数２ないし２５のアルカノイル基； 炭素原子数６ないし９のシクロアルキルカルボニル基、テノイル基、フロイル基、ベンゾイル基、又は炭素原子数１ないし１２のアルキル置換ベンゾイル基、
【化６】
2005504868.tif 000006
を表わし；
Ｒ33は、水素原子又は炭素原子数１ないし８のアルキル基を表わし；
Ｒ34は、直接結合、炭素原子数１ないし１８のアルキレン基；酸素原子によって、硫黄原子によって、又は＞ＮＲ8によって中断された炭素素原子数２ないし１８のアルキレン基；炭素原子数２ないし２０のアルキリデン基、炭素原子数７ないし２０のフェニルアルキリデン基、炭素原子数５ないし８のシクロアルキレン基、炭素原子数７ないし８のビシクロアルキレン基、未置換の、又は炭素原子数１ないし４のアルキル置換フェニレン基、
【化７】
2005504868.tif 000007
を表わし；
Ｒ35は、ヒドロキシ基、
【化８】
2005504868.tif 000008
を表わし、
Ｒ36は、酸素原子、−ＮＨ−又は
【化９】
2005504868.tif 000009
を表わし；
Ｒ37は、炭素原子数１ないし１８のアルキル基又はフェニル基を表わし；
Ｒ50は、−ＯＲ51、−Ｏ−Ｃ（Ｏ）−Ｒ51、−ＳＲ52、−Ｓ（Ｏ）Ｒ52、−Ｓ（Ｏ） 2Ｒ52、−Ｎ（Ｈ）Ｒ53、ピロリノ基、ピロリジノ基、
【化１０】
2005504868.tif 000010
を表わし；
Ｒ50’は、独立して、Ｒ50で定義した通りであり；
Ｒ51は、未置換の、又は−ＯＨ、−ＯＲ8、−ＮＨ（Ｒ8）又は−Ｎ（Ｒ8）2によって置換された炭素原子数１ないし２５のアルキル基；酸素原子によって、又は硫黄原子によって中断された炭素原子数２ないし２５のアルキル基；炭素原子数７ないし９のフェニルアルキル基、未置換の、又は炭素原子数１ないし４のアルキル置換炭素原子数５ないし８のシクロアルキル基；未置換の、又は炭素原子数１ないし４のアルキル置換フェニル基を表わし；
Ｒ52は、未置換の、又は−ＯＨ、−ＯＲ8、−ＮＨ（Ｒ8）又は−Ｎ（Ｒ8）2によって置換された炭素原子数１ないし２５のアルキル基；酸素原子によって、又は硫黄原子によって中断された炭素原子数２ないし２５のアルキル基；炭素原子数７ないし９のフェニルアルキル基、未置換の、又は炭素原子数１ないし４のアルキル置換炭素原子数５ないし８のシクロアルキル基；未置換の、又は炭素原子数１ないし４のアルキル置換フェニル基を表わし；
Ｒ53及びＲ54は、各々互いに独立して、水素原子、ヒドロキシ基；未置換の、又は−ＯＨ、−ＯＲ8、−ＮＨ（Ｒ8）又は−Ｎ（Ｒ8）2によって置換された炭素原子数１ないし２
５のアルキル基；酸素原子によって、又は硫黄原子によって中断された炭素原子数２ないし２５のアルキル基；炭素原子数７ないし９のフェニルアルキル基、未置換の、又は炭素原子数１ないし４のアルキル置換炭素原子数５ないし８のシクロアルキル基；又は、デンドリマー状、オリゴマー状又はポリマー状の、炭素原子数４ないし１００の炭化水素基を表わし；
Ｒ55は、炭素原子数１ないし２５のアルキル基；酸素原子によって、又は硫黄原子によって中断された炭素原子数２ないし２５のアルキル基；炭素原子数７ないし９のフェニルアルキル基、未置換の、又は炭素原子数１ないし４のアルキル置換炭素原子数５ないし８のシクロアルキル基；未置換の、又は炭素原子数１ないし４のアルキル置換フェニル基を表わし；
Ｒ56は、未置換の、又は炭素原子数１ないし４のアルキル置換炭素原子数２ないし１２のアルキレン基を表わし；
Ｍは、ｒ価の金属カチオンを表わし；
ｐは、０、１又は２を表わし；
ｑは、１、２、３、４、５又は６を表わし；
ｒは、１、２又は３を表わし；及び
ｓは、０、１又は２を表わす。］で表わされるマンニッヒ塩基化合物からなる群から選択される少なくとも１つの化合物の有効安定化量からなる組成物であって、該組成物の溶融加工中のアルデヒド汚染物質の形成に対して安定化された組成物。
【請求項２】
（ａ）ポリエステル又はポリアミド、及び
（ｂ）請求項１記載の式（Ｉａ）、（Ｉｂ）、（ＩＩａ）、（ＩＩｂ）、（ＩＩｃ）、（ＩＩＩａ）、（ＩＩＩｂ）、（ＩＩＩｃ）、（ＩＶａ）、（ＩＶｂ）及び（ＩＶｃ）で表わされるマンニッヒ塩基化合物からなる群から選択される少なくとも１つの化合物の有効安定化量；及び所望により、
（ｃ）ポリ（ビニルアルコール）又はエチレン／ビニルアルコールコポリマーであるポリマーの有効安定化量；及び所望により、
（ｄ）多価アルコールの有効安定化量；及び所望により、
（ｅ）ポリアクリルアミド、ポリメタクリルアミド又は少なくとも１つのエチレン性不飽和コモノマーとのアクリルアミドもしくはメタクリルアミドコポリマーの有効安定化量；及び所望により、
（ｆ）
ｉ．）ヒドロキシルアミン安定剤、
ｉｉ．）置換されたヒドロキシルアミン安定剤
ｉｉｉ．）ニトロン安定剤、及び
ｉｖ．）アミンオキシド安定剤
からなる群から選択される少なくとも１つの化合物の有効安定化量；及び所望により、
（ｇ）少なくともも１つの２−プロペン酸エステルモノマーから誘導された少なくとも１つのポリマー又はコポリマーの有効安定化量
からなる組成物であって、
（ｄ）の多価アルコールが式Ｇ−（ＯＨ）a（式中、ａは２ないし４０００を表わし、Ｇはヒドロカルビル部分を表す。）で表わされ、
成分（ｇ）のポリマー又はコポリマーが、式
【化１１】
2005504868.tif 000011
［式中、Ｔ1、Ｔ2及びＴ3は、独立して、水素原子、１ないし２４個の炭素原子を有する直鎖又は枝分かれ鎖のアルキル基、５ないし１２個の炭素原子を有するシクロアルキル基、７ないし１５個の炭素原子を有するアラルキル基、又は、１個以上の−ＯＴ5、−ＮＴ6Ｔ7、−ＣＯ2Ｔ8又は−ＣＯＮＴ9Ｔ10（式中、Ｔ5、Ｔ6、Ｔ7、Ｔ8、Ｔ9及びＴ10は、独立して、水素原子又は１ないし１８個の炭素原子を有する直鎖又は枝分かれ鎖のアルキル基を表わす。）によって更に置換された前記アルキル基、前記シクロアルキル基又は前記アラルキル基を表わすか；又は、Ｔ1、Ｔ2及びＴ3は、独立して基−ＣＯ2Ｔ4を表わし、
Ｔ4は、式−Ｅ−（ＯＨ）a（式中、ａは２ないし４０００を表わし、Ｅは、ヒドロカルビレン部分を表わす。）で表わされる多価アルコール置換基を表わす。］で表されるところの、前記組成物の溶融加工中のアルデヒド汚染物質の形成に対して安定化された組成物。
【請求項３】
（ａ）ポリエステル又はポリアミド、及び
（ｂ）請求項１記載の式（Ｉａ）、（Ｉｂ）、（ＩＩａ）、（ＩＩｂ）、（ＩＩｃ）、（ＩＩＩａ）、（ＩＩＩｂ）、（ＩＩＩｃ）、（ＩＶａ）、（ＩＶｂ）及び（ＩＶｃ）で表わされるマンニッヒ塩基化合物からなる群から選択される少なくとも１つの化合物の有効安定化量、及び
（ｃ）アミン化合物からなる群から選択される少なくとも１つの化合物
からなる組成物であって、前記組成物の溶融加工中のアルデヒド汚染物質の形成に対して安定化された組成物。
【請求項４】
（ａ）ポリエステル又はポリアミド、及び
（ｂ）請求項１記載の式（Ｉａ）、（Ｉｂ）、（ＩＩａ）、（ＩＩｂ）、（ＩＩｃ）、（ＩＩＩａ）、（ＩＩＩｂ）、（ＩＩＩｃ）、（ＩＶａ）、（ＩＶｂ）及び（ＩＶｃ）で表わされるマンニッヒ塩基化合物の熱生成物からなる群から選択される少なくとも１つの化合物の有効安定化量、及び
（ｃ）アミン化合物からなる群から選択される少なくとも１つの化合物
からなる組成物であって、前記組成物の溶融加工中のアルデヒド汚染物質の形成に対して安定化された組成物。
【請求項５】
（ａ）ポリエステル又はポリアミド、及び
（ｂ）請求項１記載の式（Ｉａ）、（Ｉｂ）、（ＩＩａ）、（ＩＩｂ）、（ＩＩｃ）、（ＩＩＩａ）、（ＩＩＩｂ）、（ＩＩＩｃ）、（ＩＶａ）、（ＩＶｂ）及び（ＩＶｃ）で表わされるマンニッヒ塩基化合物からなる群から選択される少なくとも１つの化合物の有効安定化量、及び
（ｃ）顔料及び染料からなる群から選択される１つ以上の着色剤
からなる組成物であって、前記組成物の溶融加工中のアルデヒド汚染物質の形成及び黄変に対して安定化された組成物。